(57)【要約】    【課題】  良好な封止状態の確保を可能とする技術を提供すること。    【解決手段】  透光性を有する第１の基板と、上記第１の基板の一面に形成され、当該第１の基板を介して発光が取り出されるように構成された複数の発光素子と、上記第１の基板の一面と対向するようにして配置される第２の基板と、上記第２の基板上であって上記発光素子のそれぞれと対向する位置に形成され、当該発光素子のそれぞれを駆動する複数の回路チップと、上記第１の基板と上記第２の基板の間に介在し、上記発光素子と上記駆動回路との相互間をそれぞれ電気的に接続する導電性部材と、全数より少ない所定数の上記発光素子ごとにその全体を囲むようにして上記第１の基板と上記第２の基板の間に設けられ、気体状の異物を吸着する吸着材と、を備える、電気光学装置。【選択図】    図１
2006179264.tif 000002
【特許請求の範囲】
【請求項１】
透光性を有する第１の基板と、
前記第１の基板の一面に形成され、当該第１の基板を介して発光が取り出されるように構成された複数の発光素子と、
前記第１の基板の一面と対向するようにして配置される第２の基板と、
前記第２の基板上であって前記発光素子のそれぞれと対向する位置に形成され、当該発光素子のそれぞれを駆動する複数の回路チップと、
前記第１の基板と前記第２の基板の間に介在し、前記発光素子と前記駆動回路との相互間をそれぞれ電気的に接続する導電性部材と、
全数より少ない所定数の前記発光素子ごとにその全体を囲むようにして前記第１の基板と前記第２の基板の間に設けられ、気体状の異物を吸着する吸着材と、
を備える、電気光学装置。
【請求項２】
第１の基板と、
透光性を有し、前記第１の基板の一面と対向して配置される第２の基板と、
前記第１の基板の一面に形成され、前記第２の基板と介して発光が取り出されるように構成された複数の発光素子と、
前記第１の基板の一面に形成され、前記発光素子のそれぞれを駆動するための回路部と、
全数より少ない所定数の前記発光素子ごとにその全体を囲むようにして前記第１の基板と前記第２の基板との相互間に設けられ、気体状の異物を吸着する吸着材と、
を備える、電気光学装置。
【請求項３】
前記発光素子は、有機エレクトロルミネッセンス素子である、請求項１又は２に記載の電気光学装置。
【請求項４】
前記電気光学装置は、複数のサブ画素からなる基本画素を複数備えるものであり、
前記吸着材は、前記基本画素のそれぞれに対応する前記発光素子ごとに設けられる、請求項１又は２に記載の電気光学装置。
【請求項５】
前記吸着材は、個々の前記発光素子ごとに設けられる、請求項１又は２に記載の電気光学装置。
【請求項６】
前記発光素子及び前記吸着材の全体を囲むようにして、前記第１の基板と前記第２の基板との相互間に設けられ、前記気体状の異物の通過を抑制する封止材を更に備える、請求項１又は２に記載の電気光学装置。
【請求項７】
所定の径を有し、前記吸着材に混入して配置されるスペーサを更に含む、請求項１又は２に記載の電気光学装置。
【請求項８】
請求項１乃至７のいずれかに記載の電気光学装置を備える電子機器。
【発明の詳細な説明】
【技術分野】
【０００１】
本発明は、有機ＥＬ素子等の発光素子からなる画素を複数を備える電気光学装置に関する。
【背景技術】
【０００２】
薄型、軽量、かつ高品質な画像を表示し得る電気光学装置として、有機ＥＬ（エレクトロルミネッセンス）表示装置が注目されている。一般的な有機ＥＬ装置は、発光を担う有機ＥＬ素子とこれを駆動する駆動回路などがガラス基板上に形成された構造を有する。また最近では、有機ＥＬ素子を支持する基板と、駆動回路等を支持する基板とを貼り合わせた構造を採用した有機ＥＬ装置が知られている。
【０００３】
有機ＥＬ素子は水分等の異物に対する耐性が低いという性質がある。具体的には、水分（水蒸気）や酸素などの気体性の異物の影響により、電極と発光層との界面の剥離、電極の酸化による高抵抗化、あるいは発光層自体の変質などの不具合を生じやすい。このため、水分等を吸着する性質を有する吸着材を有機ＥＬ素子の近くに配置し、有機ＥＬ素子の水分等による劣化を回避する技術が提案されている。例えば、特許２８００８１３号公報（特許文献１）には、有機ＥＬ素子の全体を箱状部材により囲み、当該箱状部材の内部に脱水剤や酸素吸収剤を混入した封止材を充填する構造を採用し、有機ＥＬ素子の劣化を抑制する技術が開示されている。
【０００４】
しかし、従来の密閉構造は、基板上に有機ＥＬ素子が配置され、当該基板を介して有機ＥＬ素子からの発光が取り出される構造（いわゆるボトムエミッション構造）を前提としており、脱水剤等を含んだ封止材は有機ＥＬ素子の上側を覆うように設けられている。このため、基板上に配置された有機ＥＬ素子からの発光が当該基板とは反対方向へ取り出される構造（いわゆるトップエミッション構造）に対して、上記と同様な封止材の配置を採用することは難しい。具体的には、有機ＥＬ素子からの発光が封止材を通過するので、封止材の光透過率分だけ外部へ取り出される発光の強度が低くなる不都合がある。また、封止材の光透過率に波長分散（いわゆる色つき）がある場合には、外部へ取り出される発光の色ずれを生じ、発光色の調整が必要となる不都合もある。
【０００５】
また、これらのような不都合は、有機ＥＬ装置に限らず、他の発光素子を用いる電気光学装置にも共通するものである。このため、従来技術の不都合を回避し、トップエミッション構造を採用した電気光学装置において良好な封止状態が得られる技術が望まれている。
【０００６】
【特許文献１】特許２８００８１３号公報
【発明の開示】
【発明が解決しようとする課題】
【０００７】
そこで、本発明は、上記従来技術の不都合を回避し、発光の強度低下や色調ズレ等の不都合を生じることなく、良好な封止状態を確保することを可能とする技術を提供することを目的とする。
【課題を解決するための手段】
【０００８】
第１の態様の本発明は、透光性を有する第１の基板と、上記第１の基板の一面に形成され、当該第１の基板を介して発光が取り出されるように構成された複数の発光素子と、上記第１の基板の一面と対向するようにして配置される第２の基板と、上記第２の基板上であって上記発光素子のそれぞれと対向する位置に形成され、当該発光素子のそれぞれを駆動する複数の回路チップと、上記第１の基板と上記第２の基板の間に介在し、上記発光素子と上記駆動回路との相互間をそれぞれ電気的に接続する導電性部材と、全数より少ない所定数の上記発光素子ごとにその全体を囲むようにして上記第１の基板と上記第２の基板の間に設けられ、気体状の異物を吸着する吸着材と、を備える電気光学装置である。
【０００９】
第２の態様の本発明は、第１の基板と、透光性を有し、上記第１の基板の一面と対向して配置される第２の基板と、上記第１の基板の一面に形成され、上記第２の基板と介して発光が取り出されるように構成された複数の発光素子と、上記第１の基板の一面に形成され、上記発光素子のそれぞれを駆動するための回路部と、全数より少ない所定数の上記発光素子ごとにその全体を囲むようにして上記第１の基板と上記第２の基板との相互間に設けられ、気体状の異物を吸着する吸着材と、を備える電気光学装置である。
【００１０】
ここで、本明細書において「電気光学装置」とは、電気的作用によって発光する発光素子を備えた装置一般をいい、例えば、発光素子として有機ＥＬ又は無機ＥＬ素子、あるいは電界の印加により発生した電子を発光板に当て発光させる電子放出素子などを備えた装置をいう。
【００１１】
上述した各態様の本発明の構成によれば、発光素子からの発光が進行する方向には吸着材が配置されない構造となる。そして、所定数の発光素子ごとに、第１の基板、第２の基板及び吸着材によって囲まれて密閉される構造となり、外部から異物が侵入した場合、内部に異物が残留していた場合のいずれにおいても、吸着材により囲まれる所定単位ごとに当該異物を吸着させることができる。したがって、発光の強度低下や色調ズレ等の不都合を生じることなく、良好な封止状態を確保することが可能となる。
【００１２】
次に、上述した第１及び第２の本発明についての更なる好適な実施態様について説明する。
【００１３】
好ましくは、上記発光素子は、有機エレクトロルミネッセンス（ＥＬ）素子である。
【００１４】
これにより、気体性の異物に対する耐性の高い有機ＥＬ装置が得られる。
【００１５】
また、電気光学装置が複数のサブ画素からなる基本画素を複数備えるものである場合には、上記吸着材は、上記基本画素のそれぞれに対応する上記発光素子ごとに設けられることが好ましい。
【００１６】
これにより、基本画素ごとに密閉されるので、異物に対する耐性をより高めることができる。また、ある基本画素内の発光素子に劣化が生じたとしても、その影響が隣接する他の画素内の発光素子にまで拡がりにくくなり、劣化を最小限に留めることができる利点もある。
【００１７】
また、上記吸着材は、個々の上記発光素子ごとに設けられることも好ましい。
【００１８】
これにより、各発光素子ごとに密閉されるので、異物に対する耐性をより高めることができる。また、ある発光素子に劣化が生じたとしても、その影響が隣接する他の発光素子にまで拡がりにくくなる利点もある。
【００１９】
好ましくは、上記発光素子及び上記吸着材の全体を囲むようにして、上記第１の基板と上記第２の基板との相互間に設けられ、上記気体状の異物の通過を抑制する封止材を更に備える。
【００２０】
これにより、外部からの気体性の異物の侵入が抑制されるので、内部に形成された吸着材との相乗効果によって、異物への耐性を更に高めることができる。また、吸着材に吸着されるべき異物の量が少なくなるので、吸着材をより長い期間、機能させることができる。
【００２１】
好ましくは、所定の径を有し、上記封止材に混入して配置されるスペーサを更に含む。
【００２２】
これにより、最低限、スペーサ径に相当する間隔を確保して吸着材を設けることができるので、吸着材が場所によって極端に薄くなることを回避し、必要十分な異物吸着性を確実に確保することが可能となる。
【００２３】
第３の態様の本発明は、上述した電気光学装置を備える電子機器である。ここで「電子機器」とは、電気回路や表示部などを備えた機器一般をいい、その構成に特に限定はない。かかる電子機器としては、例えば、ＩＣカード、携帯電話、ビデオカメラ、パーソナルコンピュータ、ヘッドマウントディスプレイ、リア型またはフロント型のプロジェクター、テレビジョン（ＴＶ）、ロールアップ式ＴＶ、ファクシミリ、デジタルカメラ、ＰＤＡ、電子手帳等が含まれる。
【発明を実施するための最良の形態】
【００２４】
以下、本発明が適用された電気光学装置の実施の態様について詳細に説明する。以下の説明では、電気光学装置の一例として有機ＥＬ装置を採り上げる。
【００２５】
図１は、本実施形態の有機ＥＬ装置の各画素の構成について概略的に示す平面図である。図１に示すように、本実施形態の有機ＥＬ装置１は、Ｒ、Ｇ、Ｂの３つの色画素（サブ画素）を含んで構成される基本画素２をマトリクス状に複数配列して構成されている。各色画素はそれぞれ１つの発光素子を含んで構成されている。なお、図１では説明の便宜上、構造を簡素化して表現し、基本画素２を１２個のみ示している。本実施形態の有機ＥＬ装置１では、全数より少ない所定数の有機ＥＬ素子（発光素子）ごと、より具体的には各基本画素２に対応する３つの有機ＥＬ素子ごとに、その全体を囲むようにして吸着材１４１が設けられている。ここで、吸着材１４１は、水蒸気や酸素などの気体状の異物を吸着する性質を有するものである。また、周囲には封止材１４２が設けられている。
【００２６】
図２は、図１に示すII−II線方向における有機ＥＬ装置１の模式断面図である。図２に示すように、本実施形態の有機ＥＬ装置１は、一面に複数の有機ＥＬ素子が形成されてなる発光素子基板（第１の基板）１００と、各有機ＥＬ素子を駆動する駆動回路等を含む回路基板（第２の基板）１２０とを対向配置し、両者間を導電性ペースト材（導電性部材）１４０によって電気的に接続して構成されている。本例の有機ＥＬ装置１は、発光層からの発光が発光素子基板１００を介して外部へ取り出される構造が採用されている。
【００２７】
発光素子基板１００は、基材１０１、透明電極（アノード）１０２、バンク（隔壁）１０３、発光層１０４、電極（カソード）１０５、セパレータ１０６、を含んで構成されている。
【００２８】
基材１０１は、ガラス、プラスチック等の材料からなり、透光性を有する。
【００２９】
アノード１０２は、ＩＴＯ（Indium-Tin-Oxide）等の材料からなり、基材１０１上に形成される。
【００３０】
バンク１０３は、透明電極１０２上にアクリル樹脂等の絶縁物を用いて形成されており、所定位置に開口を有する。
【００３１】
発光層１０４は、バンク１０３の開口内に形成されており、アノード１０２とカソード１０５を介して電流を供給することによって発光する。この発光層１０４は、例えばポリジアルキルフルオレン誘導体を用いて形成される。また、この発光層１０４と各電極（アノード、カソード）との間に、正孔輸送層や電子輸送層が介在していてもよい。正孔輸送層は、例えばポリエチレンジオキシチオフェンとポリスチレンスルフォン酸の混合体（ＰＥＤＯＴ／ＰＳＳ）を用いて形成される。電子輸送層は、例えばカルシウム、リチウム、これらの酸化物、フッ化物などの膜を用いて形成される。
【００３２】
カソード１０５は、アルミニウム等の導電部材からなり、発光層１０４の上面に形成される。
【００３３】
セパレータ１０６は、各発光層１０４に対応する範囲ごとにカソード１０５を画定するためのものであり、ポリイミド等の絶縁物を用いて形成されている。
【００３４】
上述したアノード１０２、発光層１０４及びカソード１０５を含んで有機ＥＬ素子が構成されており、アノード１０２及びカソード１０５を介して発光層１０４に電流を供給することにより発光層１０４が発光し、当該発光がアノード１０２及び基材１０１を介して外部に取り出される。
【００３５】
回路基板１２０は、基材１２１、絶縁層１２２、回路チップ１２３、配線１２４、を含んで構成されている。
【００３６】
基材１２１は、ガラス、プラスチック等の材料からなる。
【００３７】
絶縁層１２２は、酸化硅素等の絶縁物からなり、基材１２１上に形成されている。この絶縁層１２２は、各配線１２４の相互間を絶縁する機能を担う。
【００３８】
回路チップ１２３は、絶縁層１２２上の所定位置に形成されており、発光素子基板１００側の各有機ＥＬ素子を駆動する。この回路チップ１２３は、有機ＥＬ素子の駆動に用いられる薄膜トランジスタやその他の回路素子を含んでいる。
【００３９】
配線１２４は、絶縁層１２２の内部に形成されるとともに一部が表面に露出しており、回路チップ１２３と有機ＥＬ素子との相互間を電気的に接続する機能や、外部から供給される各種信号を回路チップ１２３へ伝達する機能などを担う。
【００４０】
導電性ペースト材１４０は、発光素子基板１００側のカソード１０５と回路基板１２０側の配線１２４の双方に接するように設けられており、有機ＥＬ素子と回路チップ１２３とを電気的に接続する機能を担う。この導電性ペースト材１４０としては、例えば銀ペースト材などが好適に用いられる。
【００４１】
吸着材１４１は、１画素に対応する３つの有機ＥＬ素子ごとにその全体を囲むようにして、発光素子基板１００と回路基板１２０との相互間に設けられている。この吸着材１４１は、酸素や水蒸気などの気体状の異物を吸着する性質を有するものである。吸着材１４１としては、例えば、アスコルビン酸やＦｅ、Ｔｉ、またはこれら低原子価金属イオンを含む塩または酸化物からなる酸素吸収剤や、シリカゲル、ケイ藻土、活性アルミナ等の吸湿剤を樹脂に混入させたものを用いることができる。このような吸着材１４１は、例えばスクリーン印刷法、ディスペンス法などの手法によって形成することができる。
【００４２】
なお、吸着材１４１の中に所定の径を有するスペーサを混入しておくことも好ましい。それにより、最低限、スペーサ径に相当する間隔を確保して吸着材１４１を設けることができるので、吸着材１４１が場所によって極端に薄くなることを回避し、必要十分な異物吸着力を確実に確保することが可能となる。
【００４３】
封止材１４２は、有機ＥＬ素子及び吸着材１４１の全体を囲むようにして、発光素子基板１００と回路基板１２０との相互間に設けられ、有機ＥＬ装置１の全体を封止して気体状の異物の通過を抑制する。封止材１４２としては、例えば、アクリル又はエポキシ系樹脂シール材が好適に用いられる。このような封止材１４２は、例えばスクリーン印刷法、ディスペンス法などの手法によって形成することができる。
【００４４】
図３は、有機ＥＬ装置の他の構成例を説明する模式断面図である。なお、本例の有機ＥＬ装置の各画素の構造については上述した図１に示したものと同様であり、図３は、図１におけるII−II線方向の断面を示している。
【００４５】
図３に示す有機ＥＬ装置１ａは、基材（第１の基板）２０１、透明電極（アノード）２０２、バンク（隔壁）２０３、発光層２０４、電極（カソード）２０５、正孔輸送層２０７、基材（第２の基板）２２１、絶縁層２２２、回路部２２３、吸着材２４１、封止材２４２を含んで構成されている。これらの要素のうち、上述した図２に示した有機ＥＬ装置１におけるものと同じ名称の要素については、それぞれ同じ機能を果たすものであり、ここでは詳細な説明を省略する。
【００４６】
本例の有機ＥＬ装置１ａは、透光性を有する基材２２１を用い、当該基材２２１を介して基材２０１の一面に形成された有機ＥＬ素子からの発光が取り出されるように構成されている。すなわち、本例の有機ＥＬ装置１ａではトップエミッション構造が採用されている。回路部２２３は、上述した回路チップ１２３と同様に、有機ＥＬ素子子のそれぞれを駆動する機能を果たす。また図示しないが、絶縁層２２２内には当該回路部２２３に各種信号を伝達するための配線も形成されている。
【００４７】
図３に示すように、本例の有機ＥＬ装置１ａは、発光素子、駆動回路等の構成要素が形成された第１の基板（基材２０１）と、透光性を有する第２の基板（基材２２１）とを対向配置するタイプのものであり、上記図２に示した有機ＥＬ装置１と同様にして、各基本画素に対応する発光素子ごとにその周囲に吸着材２４１が設けられている。また、封止材２４２は、有機ＥＬ素子及び吸着材２４１の全体を囲むようにして、基材２０１と基材２２１との相互間に設けられ、有機ＥＬ装置１ａの全体を封止して気体状の異物の通過を抑制する。
【００４８】
このように本実施形態によれば、有機ＥＬ素子からの発光が進行する方向には吸着材が配置されない構造が実現される。そして、１画素に対応する３つの有機ＥＬ素子ごとに、第１の基板、第２の基板及び吸着材によって囲まれて密閉される構造となり、外部から異物が侵入した場合、内部に異物が残留していた場合のいずれにおいても、吸着材により囲まれる所定単位ごとに当該異物を吸着させることができる。したがって、発光の強度低下や色調ズレ等の不都合を生じることなく、良好な封止状態を確保することが可能な有機ＥＬ装置を得ることが可能となる。
【００４９】
また、本実施形態によれば、吸着材を含む封止材で全面を覆う構造（いわゆる面封止構造）に比べて吸着材の形成面積が格段に小さいので、内部応力の影響もほとんどない。更に、全面に封止材を形成する場合に比べて材料使用量が少ないことから、コスト削減が可能となる。
【００５０】
また、本実施形態によれば、第１の基板と第２の基板との相互間の全体に渡って格子状に吸着材が設けられることにより、有機ＥＬ装置１（又は１ａ）の端部と中央部における両基板間のギャップ差、強度差を少なくする効果も得られる。
【００５１】
また、本実施形態によれば、従来の缶封止構造のように、高価な掘り込みガラス基板（中央を掘り込んだガラス基板）を用いる必要がないため、コスト削減が可能となる。
【００５２】
次に、上述した有機ＥＬ装置を適用可能な電子機器について例示する。
【００５３】
図４は、上述した有機ＥＬ装置（電気光学装置）を適用可能な電子機器の例を示す図である。図４（Ａ）は携帯電話への適用例であり、当該携帯電話５３０はアンテナ部５３１、音声出力部５３２、音声入力部５３３、操作部５３４、表示部５３５を備えており、当該表示部５５３が上述した有機ＥＬ装置１（又は１ａ）を用いて構成されている。図４（Ｂ）はビデオカメラへの適用例であり、当該ビデオカメラ５４０は受像部５４１、操作部５４２、音声入力部５４３、表示部５４４を備えており、当該表示部５４４が上述した有機ＥＬ装置１（又は１ａ）を用いて構成されている。図４（Ｃ）はテレビジョンへの適用例であり、当該テレビジョン５５０はその表示部５５１が上述した有機ＥＬ装置１（又は１ａ）を用いて構成されている。図４（Ｄ）はロールアップ式テレビジョンへの適用例であり、当該ロールアップ式テレビジョン５６０はその表示部５６１が上述した有機ＥＬ装置１（又は１ａ）を用いて構成されている。また、本実施形態にかかる有機ＥＬ装置は、上述した例に限らず表示機能を有する各種の電子機器に適用可能である。例えばこれらの他に、表示機能付きファックス装置、デジタルカメラのファインダ、携帯型ＴＶ、電子手帳、電光掲示盤、宣伝公告用ディスプレイなどにも活用することができる。
【００５４】
また、上述した実施形態では、画像表示を行うための装置としての有機ＥＬ装置に対して本発明を適用する場合について説明したが、本発明はこれ以外にも多様な適用範囲を有する。例えば、本発明を適用して、プリンタ等の画像形成装置（電子写真装置）に用いられる露光ヘッドを構成することが可能である。すなわち、本発明にかかる電気光学装置としての露光ヘッドは、各々が感光体に光を照射する発光素子と、各発光素子を個別に駆動する駆動回路とを備える。より望ましい態様において、Ａ４サイズやＡ３サイズといった各種の記録材の幅に合わせてライン露光が可能な構成が採用される。以下、この場合の構成例について説明する。
【００５５】
図５は、本発明を適用した露光ヘッドを含んで構成される電子写真装置の光学エンジン部分を示す概略構成図である。図５に示す電子写真装置６００は、画像データ出力装置６０１、露光ヘッド（ラインヘッド）６０２、集束性ロッドレンズ６０３、感光体ドラム６０４、帯電器６０５、現像器６０６、転写器６０７を含んで構成されている。この電子写真装置６００における印刷は以下のように行われる。まず、感光体ドラム６０４（あるいはベルト）上に形成された感光体の表面を帯電器６０５によって一様に帯電させる。そして、露光ヘッド６０２を用いて、帯電させた感光体ドラム６０４上に画像データ出力装置６０１から出力される画像データの内容に応じた光を照射する。これにより、光の照射された部分が除電され、感光体ドラム６０４上に静電荷による潜像が書き込まれる。次に、感光体ドラム６０４上に静電荷を帯びたトナー（着色微粒子）を現像器６０６によって散布することにより、静電荷による潜像をトナーによる画像として顕在化させる。次に、この感光体ドラム６０４上に用紙６０８を押し当てて、例えば電界を印加してトナーを用紙６０８に転写する。次に、転写器６０７によって、例えば熱を与える等の手段によってトナーを用紙６０８に融着させる。転写後の感光体ドラム６０４の表面から、例えば交流電界や全面光照射を加えることによって電荷を消去する。その後、転写後に残ったトナーを取り除く。
【００５６】
なお、本発明は上述した実施形態の内容に限定されることなく、本発明の要旨の範囲内で種々に変形実施が可能である。
【００５７】
例えば、上述した実施形態では、１画素分に対応する３つの有機ＥＬ素子ごとにその全体を囲むようにして吸着材１４１（又は２４１）を設けていたが、図６に示す有機ＥＬ装置１ｂのように、隣接する複数の画素分（図示の例では２画素分）に対応する数の有機ＥＬ素子ごとに封止材１４１を設けるようにしてもよく、図７に示す有機ＥＬ装置１ｃのように、各色画素２ａ、２ｂ、２ｃにそれぞれ対応する個々の有機ＥＬ素子ごとに吸着材１４１を設けてもよい。
【００５８】
また、図３に例示した有機ＥＬ装置１ａは、各有機ＥＬ素子の相互間が隔壁によって区切られる構造のものであったが、このような隔壁を有さない構造の有機ＥＬ装置に対しても同様にして本発明を適用可能である。
【００５９】
また、上述した説明では発光素子の一例として有機ＥＬ素子を採り上げて説明していたが、これ以外にも種々の発光素子（例えば、無機ＥＬ素子や電子放出素子など）を採用することが可能である。
【図面の簡単な説明】
【００６０】
【図１】一実施形態の有機ＥＬ装置の各画素の構成について概略的に示す平面図である。
【図２】図１に示すII−II線方向における有機ＥＬ装置の模式断面図である。
【図３】有機ＥＬ装置の他の構成例を説明する模式断面図である。
【図４】有機ＥＬ装置を適用可能な電子機器の例を示す図である。
【図５】本発明を適用した露光ヘッドを含んで構成される電子写真装置の光学エンジン部分を示す概略構成図である。
【図６】封止材の他の構成例を説明する図である。
【図７】封止材の他の構成例を説明する図である。
【符号の説明】
【００６１】
１…有機ＥＬ装置、１００…発光素子基板、  １０１…基材、  １０２…透明電極（アノード）１０２、  １０３…バンク、  １０４…発光層、  １０５…電極（カソード）１０５、  １０６…セパレータ１０６、  １２０…回路基板、  １２１…基材、  １２２…絶縁層、  １２３…回路チップ、  １２４…配線、  １４０…導電性ペースト材、１４１…吸着材、  １４２…封止材
【図１】
2006179264.tif 000003
【図２】
2006179264.tif 000004
【図３】
2006179264.tif 000005
【図４】
2006179264.tif 000006
【図５】
2006179264.tif 000007
【図６】
2006179264.tif 000008
【図７】
2006179264.tif 000009